【手続補正書】
【提出日】平成18年9月11日(2006.9.11)
【手続補正１】
【補正対象書類名】明細書
【補正対象項目名】発明の名称
【補正方法】変更
【補正の内容】
【発明の名称】設計工程管理装置および設計工程管理方法
【手続補正２】
【補正対象書類名】明細書
【補正対象項目名】特許請求の範囲
【補正方法】変更
【補正の内容】
【特許請求の範囲】
【請求項１】  製品の生産に必要な技術情報を入力し、保管し、必要に応じて出力する技術情報管理処理を行いながら、技術情報を作成する設計工程を管理する装置であって、
製品の種類毎に、生産に必要な技術情報群、該技術情報群に含まれる各技術情報毎の設計工程の予定を含む予定情報が入力され、入力された予定情報を記憶する予定記憶手段と、
技術情報管理処理で管理される技術情報の入力日時を、実績情報として記憶する実績記憶手段と、
予定記憶手段および実績記憶手段の記憶内容を比較して、各製品種類毎に、生産に必要な技術情報の進捗状況を、終了、予定日経過前の未終了、および予定日経過後の遅延に分けて集計して表示する進捗状況表示手段とを含むことを特徴とする設計工程管理装置。
【請求項２】  前記技術情報管理処理での入力、前記予定記憶手段および前記実績記憶手段への記憶、ならびに前記進捗状況表示手段での表示では、各技術情報についての設計工程を、作成から検認まで複数段階に分けて取扱うことを特徴とする請求項１記載の設計工程管理装置。
【請求項３】前記技術情報管理処理での入力、前記予定記憶手段および前記実績記憶手段への記憶は、技術情報設計についての担当者に関する情報も付加して行われ、
前記進捗状況表示手段は、担当者毎の技術情報設計の進捗状況を表示することを特徴とする請求項１または２記載の設計工程管理装置。
【請求項４】  前記製品を構成する部品毎に、調達に要する期間を、予め行う調査に基づいて標準期間として設定しておく標準期間設定手段と、
各部品について必要な技術情報の設計を、予め設定される部品集約日から、該部品について標準期間設定手段によって設定される標準期間以上先行して終了するように、設計工程を作成する設計工程作成手段とを、さらに含むことを特徴とする請求項１〜３のいずれかに記載の設計工程管理装置。
【請求項５】  各製品毎に、該製品を構成する部品、および各部品の調達に必要な技術情報を記憶する製品構成記憶手段と、
技術情報の変更についての予定を受付ける変更受付手段と、
変更受付手段によって技術情報の変更についての予定が受付けられるときに、製品構成記憶手段から該変更が影響を及ぼす全ての技術情報を検索し、各技術情報の関係者に通知する変更通知手段とを、前記技術情報管理処理のために備えることを特徴とする請求項１〜４のいずれかに記載の設計工程管理装置。
【請求項６】  技術情報を出力する配布先について、予め作成される基準が配布マスタとして記憶される配布マスタ記憶手段と、
技術情報を出力する際に、配布マスタ記憶手段を参照して、技術情報毎の配布先を決定する配布先決定手段と、
出力する技術情報を、情報ネットワークを介して利用可能な状態に設定する情報出力手段と、
配布先決定手段によって、決定される配布先に対して、情報出力手段によって情報ネットワークを介して利用可能となった技術情報を通知する情報通知手段とを、前記技術情報管理処理のために備えることを特徴とする請求項１〜５のいずれかに記載の設計工程管理装置。
【請求項７】  請求項１〜６のいずれかに記載の設計工程管理装置として、コンピュータを機能させるためのプログラムを記録したコンピュータ読取り可能な記録媒体。
【請求項８】  製品の生産に必要な技術情報を入力し、保管し、必要に応じて出力する技術情報管理処理を行いながら、技術情報を作成する設計工程を管理する方法であって、
製品の種類毎に、生産に必要な技術情報群、該技術情報群に含まれる各技術情報毎の設計工程の予定を含む予定情報が入力され、入力された予定情報を記憶するステップと、
技術情報管理処理で管理される技術情報の入力日時を、実績情報として記憶するステップと、
予定記憶手段および実績記憶手段の記憶内容を比較して、各製品種類毎に、生産に必要な技術情報の進捗状況を、終了、予定日経過前の未終了、および予定日経過後の遅延に分けて集計して表示するステップとを含むことを特徴とする設計工程管理方法。
【手続補正３】
【補正対象書類名】明細書
【補正対象項目名】０００１
【補正方法】変更
【補正の内容】
【０００１】
【発明の属する技術分野】
本発明は、各種製品の生産に必要となる図面などの技術情報を作成する日程などの管理を行う設計工程管理装置および方法に関する。
【手続補正４】
【補正対象書類名】明細書
【補正対象項目名】０００６
【補正方法】変更
【補正の内容】
【０００６】
本発明の目的は、複数の製品の生産のための設計工程を図面などの技術情報についての入力、保管、出力などの管理処理を行いながら、各製品の生産に支障を生じないように管理することができる設計工程管理装置および方法を提供することである。
【手続補正５】
【補正対象書類名】明細書
【補正対象項目名】００１９
【補正方法】変更
【補正の内容】
【００１９】
さらに本発明は、上述したいずれかの設計工程管理装置として、コンピュータを機能させるためのプログラムを記録しているので、汎用のコンピュータネットワークを用いて、設計工程の管理を有効に行うことができる。
また本発明は、製品の生産に必要な技術情報を入力し、保管し、必要に応じて出力する技術情報管理処理を行いながら、技術情報を作成する設計工程を管理する方法であって、
製品の種類毎に、生産に必要な技術情報群、該技術情報群に含まれる各技術情報毎の設計工程の予定を含む予定情報が入力され、入力された予定情報を記憶するステップと、
技術情報管理処理で管理される技術情報の入力日時を、実績情報として記憶するステップと、
予定記憶手段および実績記憶手段の記憶内容を比較して、各製品種類毎に、生産に必要な技術情報の進捗状況を、終了、予定日経過前の未終了、および予定日経過後の遅延に分けて集計して表示するステップとを含むことを特徴とする設計工程管理方法である。
本発明に従えば、設計工程管理装置は、製品の生産に必要なたとえば図面などの技術情報に対する入力、保管および出力などの技術情報管理処理を行いながら、技術情報を作成する設計工程の管理を行うために、予定情報を記憶するステップと、実績情報を記憶するステップと、進捗状況を表示するステップとを含む。予定情報を記憶するステップでは、製品の種類毎に、生産に必要な技術情報群と、その技術情報群に含まれる各技術情報毎の設計工程の予定を含む予定情報が記憶される。実績情報を記憶するステップでは、技術情報管理処理で管理される技術情報の入力日時が実績情報として記憶される。進捗状況を表示するステップでは、予定情報を記憶するステップおよび実績情報を記憶するステップで記憶された記憶内容を比較して、各製品種類毎に生産に必要な技術情報の進捗状況を表示する。進捗状況の表示は、終了、予定日経過前の未終了、および予定日経過後の遅延に分けて集計して表示されるので、各製品種類毎の進捗状況を容易に把握することができる。
【手続補正６】
【補正対象書類名】明細書
【補正対象項目名】００２７
【補正方法】変更
【補正の内容】
【００２７】
図３は、図２に示すような図面管理処理を行いながら、出図日程管理を行うためのシステム構成を示す。図１の記憶装置５，１２には、データベースとして、日程データ２１、部品調達標準データ２２、製品構成データ２３などが含まれる。図２のステップｓ３の出図日程作成を行う出図日程作成手段２４は、後述するような出図日程を作成し、出図予定実績ファイル２５中に、出図日程として設定する。出図予定実績ファイル２５も、記憶装置５，１２中のデータベースとして管理する。出図予定実績ファイル２５に対しては、図２のステップｓ７で発行通知を行う図面発行手段２６から、図面発行についての実績データが追加される。このような出図予定実績ファイル２５の内容は、図１のクライアント端末７や、Ｗｅｂブラウザ端末８などの検索手段２７で検索することができる。また、出図の遅れに対しては、アラーム手段２８から、電子メールなどの形で、警告を発行することもできる。
【手続補正７】
【補正対象書類名】明細書
【補正対象項目名】００３０
【補正方法】変更
【補正の内容】
【００３０】
図４（ｂ）に示す図面毎の進捗状況画面４０では、図面の種類名４１毎に、図面の設計工程の各段階をタスク４２として、設計、製図、検図および承認に分けている。設計および製図は、それぞれ比較的時間がかかるので、着手と完了とに分けている。検図および承認などの検証作業は、管理者や上司によるチェックであるので、着手から完了までは直ちに行うことができるので、設計および製図のような着手と完了とを分けてはいない。具体的な予定４３としては、図３の出図予定実績ファイル２５を参照して、予定日程４４および実績日程４５を表示する。図面毎の進捗状況画面４０では、予定４３内に期限までの日数４６の欄を設ける。期限までの日数４６には、図面毎の進捗状況画面４０を表示している日を基準に、実績日程４５が不明な未完了の図面や遅延している図面についての予定日程４４を基準とする日数が示される。日数データにマイナスの符号が付いているのは、たとえば１２月５日の時点で、着手予定の１２月１日を５日間経過して遅延が生じていることを示す。このように遅延が生じているタスクに対しては、図３のアラーム手段２８が電子メールなどによるアラームを通知する。
【手続補正８】
【補正対象書類名】図面
【補正対象項目名】図６
【補正方法】変更
【補正の内容】
【図６】
2001084020.tif 000001